(57)【要約】【課題】遊技店で遊技媒体と交換可能で、買取場で買い取ってもらうことが可能な、価格の変動する景品の流通において、流通経路上の問屋及び買取場の利益を適切かつ効率的に管理することを課題とする。【解決手段】特殊景品の固有ＩＤに、売買価格と問屋又は買取場の識別情報とを関連付けたデータを特殊景品の売買情報として記録するようにした。また、この特殊景品の売買情報に基づいて、所定期間の特殊景品の流通量と、特殊景品ごとの売却価格と買取価格の差である売買差益とを、問屋ごと及び買取場ごとに集計を行うとともに、買取場ごとに集計された売買差益に応じて買取場から問屋に支払う手数料の算出を行うようにした。また、特殊景品の流通量及び特殊景品の市場価格から、問屋及び買取場の適切な利益を考慮した問屋及び買取場における特殊景品の売買価格や買取場から問屋への手数料率の推奨値を生成し、推奨値を利用することによって特殊景品の売買価格や問屋への手数料率の見直しを簡便に行えるようにした。【選択図】図１
2015173934.tif 000002
【特許請求の範囲】
【請求項１】
遊技店での遊技の結果に応じて提供され、市場価値の変動する景品の流通を管理する景品流通管理システムであって、
前記流通の経路上において買取が行われた景品の識別情報に関連付けて買取価格と買取を行った拠点の識別情報とを買取情報として記録する買取情報記録手段と、
前記流通の経路上において売却が行われた景品の識別情報に関連付けて売却価格と売却を行った拠点の識別情報とを売却情報として記録する売却情報記録手段と、
前記買取情報と前記売却情報に基づいて前記景品ごとの売却価格と買取価格の差である売買差益を拠点ごとに集計する集計手段と
を備えたことを特徴とする景品流通管理システム。
【請求項２】
前記集計手段によって集計した拠点ごとの売買差益に基づいて拠点間で受け渡しを行う再配分額を算出する再配分額算出手段をさらに備えたことを特徴とする請求項１に記載の景品流通管理システム。
【請求項３】
前記集計手段は、
前記売却情報に記録されている売却済の景品の売却価格から前記買取情報に記録されている買取済の同一景品の買取価格を差し引いた景品ごとの実績差益を集計する実績差益集計と、
未売却の景品の想定売却価格から前記買取情報に記録されている買取済の景品の買取価格を差し引いた景品ごとの想定差益を集計する想定差益集計と
を行うことを特徴とする請求項１又は２に記載の景品流通管理システム。
【請求項４】
前記集計手段で集計した集計結果を出力する集計結果出力手段をさらに備え、
前記集計結果出力手段は、前記集計結果が所定の条件を満たした場合には、前記所定の条件を満たさなかった場合と異なる出力形態で出力する
ことを特徴とする請求項１、２又は３に記載の景品流通管理システム。
【請求項５】
前記買取情報と前記売却情報とに基づいて前記拠点における前記景品の景品種類別の在庫数を買取価格ごとに集計し、集計した在庫数と景品種類ごとの売却予定価格とから、所定の基準に準じて景品種類ごとの売却数を算出する売却数算出手段をさらに備えたことを特徴とする請求項１〜４のいずれか一つに記載の景品流通管理システム。
【請求項６】
前記集計手段によって集計した拠点ごとの売上差益と、前記再配分額算出手段によって算出した再配分額とに基づいて、前記景品の流通に係る売買価格の推奨値と、前記再配分額算出手段による再配分額の算出に係る基準の推奨値とを算出する推奨値算出手段をさらに備えたことを特徴とする請求項１〜５のいずれか一つに記載の景品流通管理システム。
【請求項７】
遊技店での遊技の結果に応じて提供され、市場価値の変動する景品の流通を管理する景品流通管理方法であって、
前記流通の経路上において買取が行われた景品の識別情報に関連付けて買取価格と買取を行った拠点の識別情報とを買取情報として記録する買取情報記録ステップと、
前記流通の経路上において売却が行われた景品の識別情報に関連付けて売却価格と売却を行った拠点の識別情報とを売却情報として記録する売却情報記録ステップと、
前記買取情報と前記売却情報に基づいて前記景品ごとの売却価格と買取価格の差である売買差益を拠点ごとに集計する集計ステップと
を含んだことを特徴とする景品流通管理方法。
【発明の詳細な説明】
【技術分野】
【０００１】
この発明は、遊技店で遊技媒体と交換可能で、買取場で買い取ってもらうことが可能な価格の変動する景品の流通を管理する景品流通管理システム及び景品流通管理方法に関する。
【背景技術】
【０００２】
従来、パチンコ店等の遊技店では、遊技により獲得した遊技媒体と交換可能な景品の一種として、特殊景品と呼ばれる景品が使用されている。この特殊景品は、所定の買取場で買い取ってもらうことができる景品である。該特殊景品は、遊技店や買取場において、厳格に真贋判定や在庫管理がなされている。例えば、特許文献１では、特殊景品にＩＣチップを取り付けて、遊技店及び買取場では特殊景品に取り付けられたＩＣチップを読みこむことによって特殊景品の真贋判定を行うとともに、問屋からの入荷、景品交換による払出、買取場で買取済などのステータスを特殊景品のＩＣチップに記憶された識別情報ごとに管理する技術が開示されている。
【先行技術文献】
【特許文献】
【０００３】
【特許文献１】特開２００７−２１５８５１号公報
【特許文献２】特開２００５−０４６２８４号公報
【発明の概要】
【発明が解決しようとする課題】
【０００４】
しかしながら、かかる特許文献１を用いた場合には、遊技店と買取場とを対象とした局所的に特殊景品の在庫管理を行うことはできたが、特殊景品の流通経路の全体の流通状況を把握することが困難である。このため、特殊景品の安定的な流通を実現するために特殊景品の流通経路上にある問屋及び買取場の適切な利益を管理するのに、多大な人的労力が必要になるという問題がある。
【０００５】
このことを具体的に説明すると、特殊景品は、問屋から遊技店に出荷されて、遊技店で遊技客に遊技媒体と交換で払い出され、買取場で遊技客から買い取られ、買取場で買い取られた特殊景品は問屋に買い取られるという一連の流れを１サイクルとして流通している。また、問屋、遊技店及び買取場はそれぞれが１つもしくは複数で構成されており、大規模な流通経路のネットワークが形成されている。上記特許文献１では、個々の遊技店と該遊技店に対応する買取場における特殊景品の流通状況は把握できるものの、複数存在する全ての遊技店や買取場の全体の流通量を把握したり、遊技店及び買取場以外の問屋の特殊景品の流通状況を把握するためには、個々に有する特殊景品の流通状況にかかる情報を集めてそれを集計するという多大な人的労力が必要になってしまうのである。
【０００６】
また、特殊景品の流通経路上の問屋、遊技店及び買取場はそれぞれが別の法人であり、安定的な特殊景品の流通を実現するためには、特殊景品の流通を本務とする問屋及び買取場のそれぞれが、景品流通の業務によって適切な利益を確保する必要がある。しかしながら、特殊景品の市場価値は変動するものであり、その変動のタイミングによっては問屋及び買取場の利益に影響を与える。つまり、特殊景品の市場価値に応じて、問屋及び買取場の利益を考慮して問屋の出荷単価、買取場での遊技客からの買取単価、問屋の買取場からの買取単価を決定したとしても、特殊景品の市場価値の変動タイミングによっては、問屋及び買取場の適切な利益配分ではなくなってしまうことがある。特殊景品の市場価値の変動タイミングによって、問屋及び買取場の利益の配分が不適切になってしまった場合に、双方にとって適切な利益配分に補正するためには、問屋及び買取場の利益を算出して、その結果に応じて問屋と買取場との間で利益の配分の見直しを行う必要がある。問屋及び買取場は複数存在し、大規模な流通経路のネットワークを形成していることから、それらの全ての問屋及び買取場に係る利益の配分の見直し内容を決定するには多大な人的労力が必要になってしまうのである。
【０００７】
なお、特殊景品をデジタルコンテンツとする景品交換及び景品交換に係る技術（例えば、特許文献２に記載される技術）を用いて、遊技店に特化した特殊景品の流通の仕組みを不要として、デジタルコンテンツの売買を管理するシステムによって流通状況の把握も行えるようにするという方策も考えられる。しかし、特殊景品をデジタルコンテンツに移行することは現実的ではないので、現に用いられている有形の特殊景品の流通状況を管理し、流通に係わる問屋及び買取場の適切な利益の分配を効率的に管理する技術の実現が重要な課題となっているのである。
【０００８】
本発明は、上述した従来技術の課題を解消するためのものであって、遊技店で遊技媒体と交換可能で、買取場で買い取ってもらうことが可能な価格の変動する景品の流通において、流通経路上の問屋及び買取場の利益を適切かつ効率的に管理することのできる景品流通管理システム及び景品流通管理方法を提供することを目的とする。
【課題を解決するための手段】
【０００９】
上述した課題を解決し、目的を達成するため、本発明は、遊技店での遊技の結果に応じて提供され、市場価値の変動する景品の流通を管理する景品流通管理システムであって、前記流通の経路上において買取が行われた景品の識別情報に関連付けて買取価格と買取を行った拠点の識別情報とを買取情報として記録する買取情報記録手段と、前記流通の経路上において売却が行われた景品の識別情報に関連付けて売却価格と売却を行った拠点の識別情報とを売却情報として記録する売却情報記録手段と、前記買取情報と前記売却情報に基づいて前記景品ごとの売却価格と買取価格の差である売買差益を拠点ごとに集計する集計手段とを備えたことを特徴とする。
【００１０】
また、本発明は、上記発明において、前記集計手段によって集計した拠点ごとの売買差益に基づいて拠点間で受け渡しを行う再配分額を算出する再配分額算出手段をさらに備えたことを特徴とする。
【００１１】
また、本発明は、上記発明において、前記集計手段は、前記売却情報に記録されている売却済の景品の売却価格から前記買取情報に記録されている買取済の同一景品の買取価格を差し引いた景品ごとの実績差益を集計する実績差益集計と、未売却の景品の想定売却価格から前記買取情報に記録されている買取済の景品の買取価格を差し引いた景品ごとの想定差益を集計する想定差益集計とを行うことを特徴とする。
【００１２】
また、本発明は、上記発明において、前記集計手段で集計した集計結果を出力する集計結果出力手段をさらに備え、前記集計結果出力手段は、前記集計結果が所定の条件を満たした場合には、前記所定の条件を満たさなかった場合と異なる出力形態で出力することを特徴とする。
【００１３】
また、本発明は、上記発明において、前記買取情報と前記売却情報とに基づいて前記拠点における前記景品の景品種類別の在庫数を買取価格ごとに集計し、集計した在庫数と景品種類ごとの売却予定価格とから、所定の基準に準じて景品種類ごとの売却数を算出する売却数算出手段をさらに備えたことを特徴とする。
【００１４】
また、本発明は、上記発明において、前記集計手段によって集計した拠点ごとの売上差益と、前記再配分額算出手段によって算出した再配分額とに基づいて、前記景品の流通に係る売買価格の推奨値と、前記再配分額算出手段による再配分額の算出に係る基準の推奨値とを算出する推奨値算出手段をさらに備えたことを特徴とする。
【００１５】
また、本発明は、遊技店での遊技の結果に応じて提供され、市場価値の変動する景品の流通を管理する景品流通管理方法であって、前記流通の経路上において買取が行われた景品の識別情報に関連付けて買取価格と買取を行った拠点の識別情報とを買取情報として記録する買取情報記録ステップと、前記流通の経路上において売却が行われた景品の識別情報に関連付けて売却価格と売却を行った拠点の識別情報とを売却情報として記録する売却情報記録ステップと、前記買取情報と前記売却情報に基づいて前記景品ごとの売却価格と買取価格の差である売買差益を拠点ごとに集計する集計ステップとを含んだことを特徴とする。
【発明の効果】
【００１６】
本発明によれば、流通の経路上において買取が行われた景品の識別情報に関連付けて買取価格と買取を行った拠点の識別情報とを買取情報として記録し、流通の経路上において売却が行われた景品の識別情報に関連付けて売却価格と売却を行った拠点の識別情報とを売却情報として記録し、買取情報と売却情報に基づいて景品ごとの売却価格と買取価格の差である売買差益を拠点ごとに集計するよう構成したので、遊技店で遊技媒体と交換可能で、買取場で買い取ってもらうことが可能な価格の変動する景品の流通において、流通経路上の問屋及び買取場の利益を適切かつ効率的に管理することができる。
【図面の簡単な説明】
【００１７】
【図１】図１は、本実施例に係る景品流通管理システムにおける景品の流通状況管理と問屋及び買取場の適切な利益管理の概要を説明するための説明図である。
【図２】図２は、本実施例に係る景品流通管理システムのシステム構成を示す図である。
【図３】図３は、図２に示した買取場ＰＣの本実施例に係る内部構成を示すブロック図である。
【図４】図４は、図２に示した買取場ＰＣの本実施例に係るデータ構成について説明するための説明図である。
【図５】図５は、図２に示した買取場ＰＣの本実施例に係る買取処理の処理手順を示すフローチャートである。
【図６】図６は、図２に示した買取場ＰＣにおける買い取った景品の問屋への出荷指示画面の表示内容及び操作方法を説明するための説明図である。
【図７】図７は、図２に示した買取場ＰＣの問屋への景品出荷処理の処理手順を示すフローチャートである。
【図８】図８は、図２に示した問屋ＰＣの内部構成を示すブロック図である。
【図９】図９は、図２に示した問屋ＰＣのデータ構成について説明するための説明図である。
【図１０】図１０は、図２に示したセンターサーバの内部構成を示すブロック図である。
【図１１】図１１は、図２に示したセンターサーバのデータ構成について説明するための説明図（その１）である。
【図１２】図１２は、図２に示したセンターサーバのデータ構成について説明するための説明図（その２）である。
【図１３】図１３は、図２に示したセンターサーバにおける買取場の景品の状況照会時の画面の表示内容及び操作方法を説明するための説明図である。
【図１４】図１４は、図２に示したセンターサーバにおける特殊景品売買パラメータ設定時の画面の表示内容及び操作方法を説明するための説明図である。
【図１５】図１５は、図２に示したセンターサーバの特殊景品売買パラメータ設定処理の処理手順を示すフローチャートである。
【発明を実施するための形態】
【００１８】
以下に、添付図面を参照して、本発明に係る景品流通管理システム及び景品流通管理方法の好適な実施例を詳細に説明する。
【実施例】
【００１９】
まずは、本実施例に係る景品流通管理システムにおける景品の流通状況管理と問屋及び買取場の適切な利益管理の概要を説明する。図１は、本実施例に係る景品流通管理システムにおける景品の流通状況管理と問屋及び買取場の適切な利益管理の概要を説明するための説明図である。
【００２０】
問屋では、特殊景品の生産者若しくは買取場から特殊景品を買い付けて入荷されると、特殊景品ごとの固有ＩＤを読み取って、特殊景品ごとの固有ＩＤ、購入価格及び問屋の識別情報などをセンターサーバ６０に通知して、センターサーバ６０の特殊景品状況データ６４ａに特殊景品ごとの状況の登録若しくは更新と特殊景品流通履歴データ６４ｂに特殊景品が問屋に入荷したことを示す流通履歴の登録とを行う。
【００２１】
問屋は、遊技店の注文に従って特殊景品を遊技店に出荷する。問屋から遊技店への出荷時には、出荷した特殊景品の種類ごとの数、特殊景品ごとの固有ＩＤ、販売価格及び出荷先の遊技店の識別情報などをセンターサーバ６０に通知して、センターサーバ６０の特殊景品状況データ６４ａの特殊景品ごとの状況の更新と特殊景品流通履歴データ６４ｂに特殊景品が問屋から遊技店に出荷されたことを示す流通履歴の登録とを行う。遊技店では、問屋から仕入れた特殊景品は、他の一般景品と同様に景品ごとに定められた所定数の遊技媒体との交換で遊技客に払い出される。
【００２２】
遊技客は、所定数の遊技媒体との交換で得た特殊景品を買取場に持ち込んで、所定の手数料を支払って該特殊景品を現金で買い取ってもらう。買取場では、持ち込まれた特殊景品の真贋判定を行う。また、買取場では、特殊景品の価値の所定の手数料率（例えば、３％）の手数料を徴収する。実際には、手数料率分を差し引いた金額で、特殊景品を買い取ることで手数料を徴収する。買取場で遊技客から特殊景品を買い取ると、買取場の識別情報、特殊景品ごとの景品数、固有ＩＤ及び買取価格などをセンターサーバ６０に通知して、センターサーバ６０の特殊景品状況データ６４ａの特殊景品ごとの状況の更新と特殊景品流通履歴データ６４ｂに特殊景品が買取場で買い取られたことを示す流通履歴の登録とを行う。
【００２３】
遊技客から特殊景品を買い取った買取場は、所定のスケジュールに従って問屋に特殊景品を出荷する。買取場から問屋への出荷時には、出荷元の買取場の識別名、出荷先の問屋の識別名、特殊景品ごとの景品数、固有ＩＤ及び売却価格などをセンターサーバ６０に通知して、センターサーバ６０の特殊景品状況データ６４ａの特殊景品ごとの状況の更新と特殊景品流通履歴データ６４ｂに特殊景品が買取場から問屋へ出荷されたことを示す流通履歴の登録とを行う。
【００２４】
センターサーバ６０は、このように特殊景品状況データ６４ａ及び特殊景品流通履歴データ６４ｂを問屋及び買取場からの通知に基づいて更新する。これによって、特殊景品の固有ＩＤごとに、流通経路内の所在場所や売買実績などの状況をほぼリアルタイムに把握することができる。
【００２５】
また、センターサーバ６０は、このようにして特殊景品に係る情報が集約された特殊景品状況データ６４ａ及び特殊景品流通履歴データ６４ｂを用いて、問屋ごと及び買取場ごとに、月間の特殊景品の流通量の集計と、売却金額と買取金額の差の合計である月間売買差益の集計とを行う。また、センターサーバ６０は、買取場ごとの月間売買差益と特殊景品売買パラメータ６４ｃに設定されている月間問屋手数料率（例えば３０％）とに基づいて、それぞれの買取場から問屋に支払う月間手数料を算出する。こうして算出した月間売買差益と月間手数料によって、月間の問屋ごと及び買取場ごとの粗利を算出することができる。取り扱う特殊景品は、市場価値に応じて売買価格が変動し、売買価格の変動タイミングによっては売買差益に影響がある。しかし、上述のように売買価格の変動によって買取場の売買差益に影響が出たとしても、買取場の売買差益の変動に応じて月間手数料額も変動するようにしていることから、売買価格の変動による買取場の月間の粗利への影響を低減することができる。
【００２６】
また、センターサーバ６０は、問屋における特殊景品の売買価格、買取場における特殊景品の売買価格、及び買取場から問屋へ支払う月間手数料率などを含む特殊景品売買パラメータ６４ｃの見直しを行うことが可能である。具体的には、センターサーバ６０は、問屋及び買取場における特殊景品の月間の流通量の集計結果と、現在の特殊景品の市場価格と、問屋及び買取場の利益配分の目標となる基準値とを基にして、特殊景品売買パラメータ６４ｃの推奨値を生成する。センターサーバ６０によって生成された推奨値を参考にすることによって、特殊景品売買パラメータ６４ｃの見直しを効率的に行うことを可能とする。また、見直された特殊景品売買パラメータ６４ｃの内容は、問屋及び買取場に通知されて見直された売買価格などが適用される。
【００２７】
また、図１には記載していないが、「互換所」と呼ばれるものが「買取場」と「問屋」の間にある場合もある。互換所とは、特殊景品が特定の問屋と特定の買取場で還流しないように、互換所に持ち込まれた景品同士をシャッフルして、別の景品と交換する場所である。この互換所の運営にも多大な経費が必要となることより、利益配分（互換手数料）を考慮する必要がある。そのため、互換所にも個別の識別情報を付与し、互換所への景品の出入りを管理しておく必要がある。なお、互換所は通常はある一定の地域に１箇所設けられる。つまり１つの県の中で数箇所に地域割りを行い、その地域ごとに１箇所設置されるため、複数の買取場や複数の問屋に対して１つの互換所があることになる。
【００２８】
このように、特殊景品の固有ＩＤに、売買価格と問屋又は買取場の識別情報とを関連付けたデータを特殊景品の売買情報として記録するようにした。また、この特殊景品の売買情報に基づいて、所定期間の特殊景品の流通量と、特殊景品ごとの売却価格と買取価格の差である売買差益とを、問屋ごと及び買取場ごとに集計を行うとともに、買取場ごとに集計された売買差益に応じて買取場から問屋に支払う手数料の算出を行うようにした。また、特殊景品の流通量及び特殊景品の市場価格から、問屋及び買取場の適切な利益を考慮した問屋及び買取場における特殊景品の売買価格や買取場から問屋への手数料率の推奨値を生成し、推奨値を利用することによって特殊景品の売買価格や問屋への手数料率の見直しを簡便に行えるようにした。これらによって、遊技店で遊技媒体と交換可能で、買取場で買い取ってもらうことが可能な価格の変動する景品について、流通経路上の問屋及び買取場の利益を適切かつ効率的に管理することができる。
【００２９】
次に、本実施例に係る景品流通管理システムのシステム構成を説明する。図２は、本実施例に係る景品流通管理システムのシステム構成を示す図である。
【００３０】
特殊景品の流通経路は問屋、遊技店及び買取場である。問屋には、ＩＣタグリーダ１３の接続された問屋ＰＣ１０があり、買取場にはＩＣタグリーダ３３の接続された買取場ＰＣ３０と入出金ターミナル４０がある。問屋ＰＣ１０及び買取場ＰＣ３０は回線網を通してセンターサーバ６０に接続している。センターサーバ６０は問屋、遊技店及び買取場に流通する特殊景品の流通状況を記録する特殊景品状況データ６４ａと、特殊景品の流通の履歴である特殊景品流通履歴データ６４ｂと、特殊景品の売買価格等の流通に係る情報である特殊景品売買パラメータ６４ｃを有する。また、特殊景品売買パラメータ６４ｃは、更新されると問屋ＰＣ１０及び買取場ＰＣ３０にも配信され、それぞれ特殊景品売買パラメータ１５ｄ及び特殊景品売買パラメータ３５ｅとして問屋ＰＣ１０及び買取場ＰＣ３０に記憶される。また、買取場の入出金ターミナル４０と買取場ＰＣ３０はＬＡＮ等の通信経路を経由して接続されており、データの送受信を行うことができる。また、図２には便宜上、問屋、遊技店及び買取場を１つずつ図示しているが、実際には問屋、遊技店及び買取場は、いずれも１つ若しくは複数存在している。
【００３１】
問屋ＰＣ１０は、新規生産された特殊景品及び買取場から買い付けた特殊景品を入荷したならば、入荷したそれぞれの特殊景品に付けられているＩＣタグから特殊景品の種類や固有ＩＤを読み込んで、読み込んだ特殊景品固有ＩＤに、入荷元の買取場の識別情報、問屋の識別情報、買取価格及び「問屋へ入荷」を示すデータなどを付け加えて、センターサーバ６０に通知する。これを受けたセンターサーバ６０は、受け付けたデータの特殊景品ごとに、該特殊景品の固有ＩＤと一致するデータが特殊景品状況データ６４ａに存在する場合には、固有ＩＤの一致したデータを受け付けた特殊景品のデータで更新し、該特殊景品の固有ＩＤと一致するデータが特殊景品状況データ６４ａに存在しない場合には、特殊景品状況データ６４ａに受け付けた特殊景品のデータを追加する。また、センターサーバ６０は、受け付けた通知の内容を当該特殊景品の問屋へ入荷したという流通の履歴として、特殊景品流通履歴データ６４ｂに追加登録する。
【００３２】
また、問屋ＰＣ１０は、遊技店への特殊景品の出荷時に、接続されているＩＣタグリーダ１３で出荷する特殊景品の固有ＩＤを読み込んで、読み込んだ固有ＩＤに問屋の識別情報、出荷先の遊技店の識別情報、販売価格及び「問屋から出荷」を示すデータなどを付け加えて、センターサーバ６０に通知する。これを受けたセンターサーバ６０は、受付けたデータの特殊景品ごとに、受け付けたデータに含まれる特殊景品の固有ＩＤと一致する特殊景品状況データ６４ａ上のデータの状態を指定された「問屋から出荷済」を示す値に更新する。また、センターサーバ６０は、受け付けた通知の内容を当該特殊景品の問屋から出荷したという流通の履歴として、特殊景品流通履歴データ６４ｂに追加登録する。
【００３３】
買取場ＰＣ３０は、遊技客により特殊景品が持ち込まれると、接続されているＩＣタグリーダ３３で持ち込まれた特殊景品の固有ＩＤを読み込んで、読み込まれた固有ＩＤに基づいて特殊景品の真贋判定を行う。持ち込まれた特殊景品の真贋判定で正規の特殊景品であることの確認が行われたならば、入出金ターミナル４０で持ち込まれた特殊景品の買取処理を行う。
【００３４】
買取場ＰＣ３０における特殊景品の真贋判定について詳しく説明する。買取場ＰＣ３０は、予めセンターサーバ６０から問屋から出荷済の特殊景品の一覧を入手する。買取場ＰＣ３０は、ＩＣタグリーダ３３で読み込んだ特殊景品の固有ＩＤが、問屋から出荷済の特殊景品の一覧に存在しない場合には、正規の特殊景品ではないと判定して、その旨のメッセージを報知する。
【００３５】
また、買取場ＰＣ３０は、センターサーバ６０から配信された特殊景品売買パラメータ３５ｅの特殊景品の買取価格を、入出金ターミナル４０に通知する。入出金ターミナル４０は、買取場ＰＣ３０から通知された買取価格で、特殊景品の買取処理に伴う現金の払い出しを行う。
【００３６】
買取場ＰＣ３０は、買取処理が終了したならば、買取済の景品データをセンターサーバ６０に通知する。買取済の景品データには、買取場の識別情報、買取額、景品の固有ＩＤなどが含まれる。これを受け付けたセンターサーバ６０は、受け付けたデータの特殊景品ごとに、受け付けたデータに含まれる特殊景品の固有ＩＤと一致する特殊景品状況データ６４ａ上のデータの状態を「買取場在庫」を示す値に更新する。また、センターサーバ６０は、受け付けた通知の内容を当該特殊景品の買取場で買い取ったという流通の履歴として、特殊景品流通履歴データ６４ｂに追加登録する。
【００３７】
また、買取場ＰＣ３０は、問屋への特殊景品の出荷時に、遊技客からの買取時に読み取って記憶した特殊景品の固有ＩＤに出荷先の問屋の識別情報及び売却価格などを付け加えて、センターサーバ６０に通知する。これを受けたセンターサーバ６０は、受け付けたデータの特殊景品ごとに、受け付けたデータに含まれる特殊景品の固有ＩＤと一致する特殊景品状況データ６４ａ上のデータの状態を「買取場から出荷済」を示す値に更新する。また、センターサーバ６０は、受け付けた通知の内容を当該特殊景品の買取場から出荷したという流通の履歴として、特殊景品流通履歴データ６４ｂに追加登録する。
【００３８】
本実施例では、買取場から問屋への特殊景品の出荷時に、買取場ＰＣ３０で遊技客からの買取時に読み取って記憶した特殊景品の固有ＩＤを利用してセンターサーバ６０に出荷する特殊景品の固有ＩＤを通知したが、本発明はこれに限定しない。出荷する全ての特殊景品の固有ＩＤを、ＩＣタグリーダ３３で読み取って、読み取った特殊景品の固有ＩＤをセンターサーバ６０に通知してもよい。
【００３９】
次に、図２に示した買取場ＰＣ３０の本実施例に係る内部構成を説明する。図３は、買取場ＰＣ３０の本実施例に係る内部構成を示すブロック図である。図３に示すように、買取場ＰＣ３０は、入力部３１、表示部３２、ＩＣタグリーダ３３及び入出金ターミナル４０と接続される。入力部３１は、キーボードやマウス等であり、表示部３２は、液晶パネルやディスプレイ装置等である。ＩＣタグリーダ３３は、ＩＣタグに記憶されている情報を読み取る装置である。
【００４０】
また、買取場ＰＣ３０は、通信部３４と、記憶部３５と、制御部３６とを有する。通信部３４は、回線網を通してセンターサーバ６０とデータ通信するためのインタフェース部である。
【００４１】
記憶部３５は、ハードディスク装置や不揮発性メモリ等の記憶デバイスであり、問屋出荷データ３５ａ、買取処理中景品データ３５ｂ、買取済景品データ３５ｃ、出荷景品データ３５ｄ及び特殊景品売買パラメータ３５ｅを有する。
【００４２】
問屋出荷データ３５ａは、状態が「問屋から出荷済」である全ての特殊景品の固有ＩＤの情報を有しており、センターサーバ６０から所定のタイミングで入手したデータである。買取処理中景品データ３５ｂは、遊技客が持ち込んだ特殊景品のＩＣタグをＩＣタグリーダ３３で読み込んだ時点で記憶され、買取処理が終了するとクリアされるデータであり、遊技客が持ち込んだ特殊景品の景品種類及び固有ＩＤなどの情報を有している。買取済景品データ３５ｃは、買取処理の履歴を記録したデータであり、買取処理によって追加登録される。買取済景品データ３５ｃは、特殊景品を買取場で買い取った日付、時刻、特殊景品の景品種類、固有ＩＤ及び買取価格などの情報を含む。
【００４３】
出荷景品データ３５ｄは、特殊景品の買取場から問屋への出荷処理で生成されるデータである。また、出荷景品データ３５ｄは、特殊景品を買取場から出荷した日付、時刻、特殊景品の景品種類、固有ＩＤ及び売却価格などの情報を含む。特殊景品売買パラメータ３５ｅは、センターサーバ６０から配信されたデータを記憶したデータであり、問屋及び買取場における特殊景品の売買価格や買取場から問屋に支払う月額手数料率などの情報を含む。
【００４４】
制御部３６は、買取場ＰＣ３０の全体を制御する制御部であり、配布データ取得部３６ａ、真贋判定部３６ｂ、買取処理部３６ｃ、買取データ送信部３６ｄ及び出荷処理部３６ｅを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００４５】
配布データ取得部３６ａは、所定のタイミングでセンターサーバ６０から配布される、問屋から出荷済で買取場での買取がまだ行われていない特殊景品の一覧データを受け付けて、問屋出荷データ３５ａに書き込む。また、配布データ取得部３６ａは、所定のタイミングでセンターサーバ６０から配布される特殊景品売買パラメータ６４ｃを受け付けて、特殊景品売買パラメータ３５ｅに記憶するとともに、受け付けた特殊景品売買パラメータ６４ｃに含まれる買取場における特殊景品の売買価格を入出金ターミナル４０に送信する。
【００４６】
真贋判定部３６ｂは、ＩＣタグリーダ３３で読み取った特殊景品の固有ＩＤを基にして特殊景品の真贋判定を行う。具体的には、ＩＣタグリーダ３３で読み取った特殊景品の固有ＩＤが、「問屋から出荷済」を示す問屋出荷データ３５ａに含まれていない場合、若しくは問屋出荷データ３５ａに含まれているが買取処理中景品データ３５ｂ若しくは買取済景品データ３５ｃのいずれかに含まれている場合には、正規な特殊景品ではないと判定する。また、ＩＣタグリーダ３３で特殊景品の固有ＩＤの読み取りができない場合にも、正規な特殊景品ではないと判定する。また、これらのいずれでもない場合は、該特殊景品は正規品であると判定し、読み取った特殊景品の情報を買取処理中景品データ３５ｂに書き込む。
【００４７】
買取処理部３６ｃは、買取処理を行った入出金ターミナル４０から入手した景品の種類ごとの買取価格と、買取処理中景品データ３５ｂを用いて、買取済景品データ３５ｃに買取処理の履歴のデータを追加する。また、買取処理部３６ｃは、買取済景品データ３５ｃへの買取処理の履歴のデータの追加が終了すると、買取処理中景品データ３５ｂのデータをクリアする。
【００４８】
買取データ送信部３６ｄは、買取済景品データ３５ｃのデータの中で、ステータスがセンターサーバ６０に未送信のレコードの情報を基にして、買い取った特殊景品ごとの景品種類、固有ＩＤ及び買取価格などの情報をセンターサーバ６０に送信して、送信した買取済景品データ３５ｃのレコードのステータスをセンターサーバ６０に送信済に更新する。
【００４９】
出荷処理部３６ｅは、買取済景品データ３５ｃから問屋へ出荷対象の特殊景品の指定を受け付けて、出荷指示のされた特殊景品の情報を買取済景品データ３５ｃから出荷景品データ３５ｄに抽出し、出荷景品データ３５ｄを基に特殊景品の景品種類、固有ＩＤ及び売却価格等の情報をセンターサーバ６０に送信し、送信した買取済景品データ３５ｃのレコードのステータスを「問屋へ出荷済」に更新する。
【００５０】
また、買取データ送信部３６ｄ及び出荷処理部３６ｅは、センターサーバ６０にデータ送信しようとした時に、センターサーバ６０との通信が行えない状態の場合には、センターサーバ６０との通信の復旧時若しくは次にセンターサーバ６０への送信を行う時に、通信が行えない状態であったことによって送信できなかったデータを送信することを可能とする。
【００５１】
なお、上述の図３の説明では、真贋判定部３６ｂは、ＩＣタグリーダ３３で読み込んだ特殊景品の固有ＩＤが、事前にセンターサーバ６０から配信された問屋出荷データ３５ａに含まれていることを正規な景品であることの条件としたが、本発明はこれに限定されるものではない。例えば、ＩＣタグリーダ３３で読み込んだ特殊景品の固有ＩＤを含む真贋判定要求をセンターサーバ６０に送信して、センターサーバ６０で受け付けた固有ＩＤの景品の状態が問屋から出荷済みであるか否かで真贋の判定を行って、その応答を買取場ＰＣ３０に返信するようにしてもよい。
【００５２】
次に、図２に示した買取場ＰＣ３０の本実施例に係るデータ構成について説明する。図４は、買取場ＰＣ３０の本実施例に係るデータ構成について説明するための説明図である。
【００５３】
問屋出荷データ３５ａは、問屋からの出荷された出荷日付、出荷時刻、出荷元の問屋の識別名、出荷先の遊技店の識別名、出荷された特殊景品の景品種類、当該特殊景品の固有ＩＤ及び当該特殊景品の販売価格をレコードの保有項目とするデータである。図４の問屋出荷データ３５ａの例は、日付「２０１３／４／１０」の時刻「１０：００」に、「問屋Ａ」から「遊技店Ａ」に出荷された特殊景品は、景品種類が「Ａ」で、固有ＩＤが「Ａ１２３４５」で、当該特殊景品の販売価格が「５，０００」円であることを示すレコードが含まれていることを示している。
【００５４】
買取処理中景品データ３５ｂは、買取場に遊技客が持ち込んだ特殊景品の景品種類、該特殊景品の景品単価及び該景品の固有ＩＤをレコードの保有項目とするデータである。図４の買取処理中景品データ３５ｂの例は、買取場に遊技客が持ち込んだ特殊景品には、景品種類が「Ａ」で、景品単価が「５，０００」円で、固有ＩＤが「Ａ１２３４５」の特殊景品が含まれていることを示している。
【００５５】
買取済景品データ３５ｃは、買取場に持ち込まれた特殊景品の買取処理に係るデータであり、特殊景品の買取日付、買取時刻、遊技客に当該特殊景品を払い出した遊技店の識別名、買取場の識別名、ステータス及び買い取った特殊景品ごとの景品種類、固有ＩＤ、買取価格をレコードの保有項目とするデータである。ステータスはコード化されており、買い取ったことをセンターサーバ６０に未送信であることを示す「０」と、買い取ったことをセンターサーバ６０に送信済であることを示す「１」と、既に問屋へ出荷済であることを示す「２」とがある。
【００５６】
図４の買取済景品データ３５ｃの例は、買取日付が「２０１３／４／１１」で、買取時刻が「１７：３０」で、遊技店識別名が「遊技店Ａ」の遊技店で、遊技客に払い出された特殊景品が、買取場識別名が「買取場Ａ」の買取場で買い取られ、ステータスが買い取ったことをセンターサーバ６０に未送信であることを示す「０」で、買い取った景品に、景品種類が「Ａ」で、固有ＩＤが「Ａ１２３４５」で、買取価格が「４，８５０」円の景品と、景品種類が「Ａ」で、固有ＩＤが「Ａ１２３４６」で、買取価格が「４，８５０」円の景品が含まれていることを示すレコードを有していることを表している。
【００５７】
出荷景品データ３５ｄは、買取場で買い取られた特殊景品を問屋に出荷した特殊景品の、出荷日付、出荷時刻、出荷元の買取場の識別名、出荷先の問屋の識別名、出荷した特殊景品の景品種類、固有ＩＤ及び売却価格をレコードの保有項目とするデータである。図４の出荷景品データ３５ｄの例は、出荷日付が「２０１３／４／１２」で、出荷時刻が「１０：００」で、出荷元の買取場の識別名が「買取場Ａ」で、出荷先の問屋の識別名が「問屋Ａ」で、景品種類が「Ａ」で、固有ＩＤが「Ａ１２３４５」の特殊景品を売却価格「４，９００」円で売却したことを示すレコードを有していることを表している。
【００５８】
特殊景品売買パラメータ３５ｅは、買取場で遊技客から特殊景品を買い取る際に遊技客から徴収する手数料の持ち込んだ特殊景品に対する割合である手数料率と、買取場で特殊景品を買い取る際の買取単位金額と、買取場の月間の特殊景品の売買差益に対する問屋へ支払う月間手数料の割合を示す手数料率と、景品種類ごとの問屋出荷価格と、買取場での買取価格と、買取場から問屋への売却価格とを有している。
【００５９】
図４の特殊景品売買パラメータ３５ｅは、手数料率が「３％」で、買取単位金額が「１０円」で、月間問屋手数料率が「３０％」で、問屋の出荷価格は、景品Ａが「５０００円」で、景品Ｂが「１０００円」で、買取場の買取価格は、景品Ａが「４８５０円」で、景品Ｂが「９７０円」で、買取場の問屋への売却価格は、景品Ａが「４９００円」で、景品Ｂが「９８０円」であることを示している。
【００６０】
次に、図２に示した買取場ＰＣ３０の本実施例に係る買取処理の処理手順を説明する。図５は、買取場ＰＣ３０の本実施例に係る買取処理の処理手順を示すフローチャートである。
【００６１】
ＩＣタグリーダ３３で、特殊景品に付けられたＩＣタグの読取が行われた場合（ステップＳ１０１；Ｙｅｓ）には、真贋判定部３６ｂは、ＩＣタグから読み取った内容を用いて特殊景品の真贋判定処理を行う（ステップＳ１０２）。具体的な真贋判定の処理内容は、図３の真贋判定部３６ｂで説明した通りである。
【００６２】
ステップＳ１０２の真贋判定の結果が、正規景品であると判定された場合（ステップＳ１０３；Ｙｅｓ）には、真贋判定部３６ｂは、読み取った固有ＩＤなどの情報を買取処理中景品データ３５ｂに登録して（ステップＳ１０４）、処理を終了する。ステップＳ１０２の真贋判定の結果が、正規品ではないと判定された場合（ステップＳ１０３；Ｎｏ）には、真贋判定部３６ｂは、正規品ではないと判定された理由などを含めたエラーメッセージ及び当該特殊景品を買取対象とするか否かの判定を促すメッセージを表示部３２に表示する（ステップＳ１０５）。また、真贋判定部３６ｂは、当該景品に問題はなく景品交換の対象とする旨の操作を受け付けた場合（ステップＳ１０６；Ｙｅｓ）には、ステップＳ１０４に移行する。また、当該景品に問題があり景品交換の対象としない旨の操作を受け付けた場合（ステップＳ１０６；Ｎｏ）には、処理を終了する。
【００６３】
ＩＣタグリーダ３３による特殊景品に付けられたＩＣタグの読取が行われたわけではなく（ステップＳ１０１；Ｎｏ）、入出金ターミナル４０による買取操作が終了したならば（ステップＳ１０７；Ｙｅｓ）、買取処理部３６ｃは、当該買取処理に係る情報を買取済景品データ３５ｃに追加登録して（ステップＳ１０８）、処理を終了する。具体的には、買取処理部３６ｃは、入出金ターミナル４０から入手した景品種類ごとの買取価格と、買取処理中景品データ３５ｂに登録された遊技客の持ち込んだ特殊景品に係るデータとから、買い取った特殊景品の情報を買取済景品データ３５ｃに追加登録する。また、買取処理部３６ｃは、買取済景品データ３５ｃに追加登録したデータのステータスにセンターサーバ６０に未送信であることを意味する「０」を設定する。また、買取処理部３６ｃは、買取処理中景品データ３５ｂに書き込まれていた遊技客の持ち込んだ特殊景品に係る情報をクリアする。
【００６４】
入出金ターミナル４０による買取操作の終了ではなく（ステップＳ１０７；Ｎｏ）、買取済景品データ３５ｃをセンターサーバ６０に送信する計画された時刻となった場合（ステップＳ１０９；Ｙｅｓ）には、買取データ送信部３６ｄは、買取済景品データ３５ｃの中でステータスがセンターサーバ６０に未送信であることを示す「０」である全てのレコードを、センターサーバ６０に送信する（ステップＳ１１０）。また、買取データ送信部３６ｄは、センターサーバ６０に送信した買取済景品データ３５ｃのレコードのステータスを、センターサーバ６０に送信済であることを示す「１」に変更して（ステップＳ１１１）、処理を終了する。また、買取済景品データ３５ｃをセンターサーバ６０に送信する計画された時刻でもない場合（ステップＳ１０９；Ｎｏ）にも、処理を終了する。
【００６５】
上述のように、本実施例では、買取済景品データ３５ｃのステータスがセンターサーバ６０に未送信であることを示す「０」である全てのレコードに含まれる特殊景品の固有ＩＤを、計画された所定のタイミングでまとめて送るものとしたが、本発明はこれに限定されるものではない。入出金ターミナル４０における買取操作終了時に実施する買取済の特殊景品データの買取済景品データ３５ｃへの登録処理に引き続いて、センターサーバ６０に買取済景品データ３５ｃへ追加登録したレコードに含まれる特殊景品の固有ＩＤを随時送信するものとしてもよい。
【００６６】
次に、図２に示した買取場ＰＣ３０における買い取った景品の問屋への出荷指示画面の表示内容及び操作方法を説明する。図６は、買取場ＰＣ３０における買い取った景品の問屋への出荷指示画面の表示内容及び操作方法を説明するための説明図である。
【００６７】
図６（ａ）は、買取場ＰＣ３０で問屋への出荷景品の指定を行うときに使用する画面の例であり、買取済景品データ３５ｃのステータスが問屋に出荷済みであることを示す「２」ではない全てのレコードを、景品の種類ごと／買取単価ごとにカウントすることによって、景品の種類ごと／買取単価ごとの在庫数を求めて、当該在庫を所定の基準に従って問屋に売却した場合の粗利の想定値を出力した例である。図６（ａ）の例は、景品種類が「Ａ」の景品に関しては、買取単価「４，８５０」円で買い取ったものが「６０」個、買取単価「４，９４０」円で買い取ったものが「１２０」個あり、景品種類が「Ｂ」の景品に関しては、買取単価「９７０」円で買い取ったものが「１５０」個、買取単価「９８０」円で買い取ったものが「３４０」個あることを示している。
【００６８】
また、景品種類が「Ａ」の景品は、現状の売却単価は「４，９００」円であり、買取単価「４，８５０」円で買い取ったものは景品１個あたり「５０」円の売買差益が想定されるが、買取単価「４，９４０」円で買い取ったものは景品１個あたりの売買差益は「−４０」円となってしまうことが想定される。また、景品種類が「Ｂ」の景品は、現状の売却単価は「９８０」円であり、買取単価「９７０」円で買い取ったものは景品１個あたり「１０」円の売買差益が想定されるが、買取単価「９８０」円で買い取ったものは景品１個あたりの売買差益は「０」円となってしまうことが想定される。
【００６９】
また、図６（ａ）の画面は出荷処理を選択したときに表示される初期画面の例であり、景品の種類ごと／買取単価ごとに現状の売却単価で売却した時の景品１個当たりの売買差益がマイナスにならない景品については全数売却の指定をデフォルトとして表示される。景品種類が「Ａ」で、買取単価が「４，９４０」円の景品については、現状の売却単価で売却した時の景品１個当たりの売買差益がマイナスなので、全売却の列のチェックボックスにはチェックが入っていなくて、売却個数が「０」個の状態をデフォルトとして画面表示される。また、図６（ａ）に示したように、現状の売却単価で売却した時の景品１個当たりの売買差益がマイナスとなる景品種類、買取単価となる場合にはマイナスにならない場合とは異なる表示形態で表示する。全売却の列のチェックボックスにチェックが入っていると、売却個数には在庫個数と同じ値が表示される。また、想定売買差益の列には（現状売買差益）×（売買個数）で算出された値が表示される。
【００７０】
また、図６（ａ）の画面の下部には、売却個数に応じた景品の種類毎の買取金額と売却金額と（売却金額）−（買取金額）で算出される想定売買差益が表示される。最下行には全ての景品の合計の買取金額と売却金額と想定売買差益とが表示される。図６（ａ）の例では、買取単価「４，９４０」円で買い取った景品種類が「Ａ」の景品以外の全てを売却した場合には、景品Ａで想定売却差益が「３，０００」円で、景品Ｂで想定売却差益が「１，５００」円で、合計で想定売却差益が「４，５００」円であることを示している。図６（ａ）で表示されたデフォルトの売却個数を変更することも可能で、変更した場合には、変更に応じて再計算された結果が表示される。
【００７１】
また、図６（ａ）の最下部には「キャンセル」ボタンと「実行」ボタンが配置され、「キャンセル」ボタンが押下されると、キャンセルされて出荷処理は実行しない。また、「実行」ボタンを押下した場合には、指定された景品種類ごとの売却個数を問屋に売却するものとして出荷処理を実行する。
【００７２】
また、図６（ａ）の画面の上側に表示されている表の行をマウスでクリックすることによって、クリックされた行に対応する景品種類の買取単価の景品の在庫の詳細状況を照会することができる。図６（ｂ）は、図６（ａ）の景品種類が「Ａ」の２行目をクリックされた場合に表示される、景品種類が「Ａ」で、買取単価が「４，９４０」円で買い取った景品の在庫の詳細状況の照会結果を表示した画面の例である。図６（ｂ）では、景品種類が「Ａ」で、買取単価が「４，９４０」円で買い取った景品は、日付「２０１３／４／１５」に買い取った景品が６０個、日付「２０１３／４／１４」に買い取った景品が６０個であることを示している。図６（ｂ）の最下部に配置される「終了」ボタンを押下すると、図６（ａ）の画面に戻る。
【００７３】
なお、図６に示した景品の問屋への出荷指示画面では、景品の種類ごと／買取金額ごとに、現状の売却単価で売却した時の景品１個当たりの売買差益がマイナスにならない景品について全数売却、現状の売却単価で売却した時の景品１個当たりの売買差益がマイナスになる景品について全数売却しないという指定をデフォルトとして表示するものとして説明したが、本発明はこれに限定するものではない。例えば、景品１個当たりの売買差益に関する閾値を設け、当該閾値との比較によって売却するか否かのデフォルトとして表示を行ってもよい。また、例えば、景品種類ごとに想定売買差益の閾値又は／及び全ての種類の景品の合計の想定売買差益に対して閾値を設け、当該閾値との比較によって売却可能な景品個数を算出して、算出した景品の個数をデフォルトとして表示するようにしてもよい。
【００７４】
次に、図２に示した買取場ＰＣ３０の問屋への景品出荷処理の処理手順を説明する。図７は、買取場ＰＣ３０の問屋への景品出荷処理の処理手順を示すフローチャートである。
【００７５】
出荷処理部３６ｅは、買取済景品データ３５ｃの問屋に未出荷であるステータスが「２」以外の景品の情報と、特殊景品売買パラメータ３５ｅの景品の種類ごとの買取場の売却価格とから、図６（ａ）に示した画面の表示を行い、特殊景品の出荷個数の指示の入力を受け付ける（ステップＳ２０１）。図６（ａ）に示した出荷景品の指示画面で、「実行」ボタンの押下を受け付けたならば（ステップＳ２０２；Ｙｅｓ）、画面に表示されている景品種類、買取単価ごとの景品の売却個数の指示に従って、出荷する景品の一覧である出荷景品データ３５ｄを生成して、買取済景品データ３５ｃの出荷対象の景品のステータスを問屋に出荷済であることを示す「２」に変更する（ステップＳ２０３）。また、出荷処理部３６ｅは、生成した出荷景品データ３５ｄをセンターサーバ６０に送信して、送信が終了すると出荷景品データ３５ｄをクリアして（ステップＳ２０４）、処理を終了する。
【００７６】
図６（ａ）に示した出荷景品の指示画面で、景品の売却個数の変更操作を受け付けた場合（ステップＳ２０２；Ｎｏ、ステップＳ２０５；Ｙｅｓ）には、出荷処理部３６ｅは、画面に表示されている想定売買差益などの表示内容の再計算を行って（ステップＳ２０６）、再計算を行った結果に基づいて画面の表示内容を更新して（ステップＳ２０７）、ステップＳ２０２に戻る。
【００７７】
また、図６（ａ）に示した出荷景品の指示画面で、景品の在庫の詳細状況の照会の指示を示す操作を受け付けた場合（ステップＳ２０５；Ｎｏ、ステップＳ２０８；Ｙｅｓ）には、出荷処理部３６ｅは、指定された景品に関する図６（ｂ）に示した景品の在庫の詳細状況の照会結果の画面を表示する（ステップＳ２０９）。ステップＳ２０９で表示された景品の在庫の詳細状況の照会結果の画面において「終了」ボタンを受け付けた場合（ステップＳ２１０；Ｙｅｓ）には、ステップＳ２０１に戻る。また、ステップＳ２０９で表示された景品の在庫の詳細状況の照会結果の画面において「終了」ボタンを受け付けていない場合（ステップＳ２１０；Ｎｏ）には、ステップＳ２０９に戻る。また、図６（ａ）に示した出荷景品の指示画面で、「キャンセル」ボタンが押下された場合（ステップＳ２０８；Ｎｏ）には、処理を終了する。
【００７８】
次に、図２に示した問屋ＰＣ１０の内部構成を説明する。図８は、問屋ＰＣ１０の内部構成を示すブロック図である。図８に示すように、問屋ＰＣ１０は、入力部１１、表示部１２及びＩＣタグリーダ１３と接続される。入力部１１は、キーボードやマウス等であり、表示部１２は、液晶パネルやディスプレイ装置等である。ＩＣタグリーダ１３は、ＩＣタグに記憶されている情報を読み取る装置である。
【００７９】
また、問屋ＰＣ１０は、通信部１４と、記憶部１５と、制御部１６とを有する。通信部１４は、回線網を通してセンターサーバ６０とデータ通信するためのインタフェース部である。
【００８０】
記憶部１５は、ハードディスク装置や不揮発性メモリ等の記憶デバイスであり、買取場出荷データ１５ａ、入荷景品データ１５ｂ、出荷景品データ１５ｃ及び特殊景品売買パラメータ１５ｄを有する。買取場出荷データ１５ａは、状態が「買取場から出荷済」である全ての特殊景品の固有ＩＤの情報を有しており、センターサーバ６０から所定のタイミングで入手したデータである。入荷景品データ１５ｂは、買取場から問屋に入荷した特殊景品の固有ＩＤを記憶したデータである。出荷景品データ１５ｃは、問屋から遊技店への出荷処理時に生成されて、センターサーバ６０に送信されるデータである。特殊景品売買パラメータ１５ｄは、センターサーバ６０から配信されたデータを記憶したものであり、買取場ＰＣ３０の特殊景品売買パラメータ３５ｅと同じである。
【００８１】
制御部１６は、問屋ＰＣ１０の全体を制御する制御部であり、買取場出荷データ取得部１６ａ、真贋判定部１６ｂ、入荷処理部１６ｃ及び出荷処理部１６ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００８２】
買取場出荷データ取得部１６ａは、所定のタイミングでセンターサーバ６０から配信された、買取場から出荷済で問屋にまだ入荷されていない特殊景品の一覧データを受け付けて、買取場出荷データ１５ａに書き込む。買取場出荷データ取得部１６ａの形式は、買取場ＰＣ３０の出荷景品データ３５ｄと同じである。
【００８３】
真贋判定部１６ｂは、ＩＣタグリーダ１３で読み取った特殊景品の固有ＩＤが、買取場出荷データ１５ａに記憶されている買取場から出荷済で問屋に未入荷の特殊景品の一覧に含まれていて、入荷景品データ１５ｂに含まれていないことによって、正規な特殊景品であることの判定を行う。正規景品であると判定した場合には、読み取った特殊景品の情報を入荷景品データ１５ｂに書き込む。また、読み取った特殊景品の情報を入荷景品データ１５ｂに書き込む際には、ステータスはセンターサーバ６０に未送信で有ることを示す「０」として書き込む。
【００８４】
入荷処理部１６ｃは、入荷景品データ１５ｂのデータの中で、ステータスがセンターサーバ６０に未送信で有ることを示す「０」であるレコードの情報を基にして、入荷した特殊景品の固有ＩＤなどの情報をセンターサーバ６０に送信して、入荷景品データ１５ｂの送信対象となったレコードのステータスを、センターサーバ６０に送信済で有ることを示す「１」に更新する。
【００８５】
出荷処理部１６ｄは、遊技店からの特殊景品の注文に応じて、ステータスはセンターサーバ６０に未送信で有ることを示す「０」の出荷景品データ１５ｃの生成をして、生成した出荷景品データ１５ｃをセンターサーバ６０に送信して、送信したデータのステータスを、センターサーバ６０に送信済で有ることを示す「１」に更新する。
【００８６】
なお、上述の図８の説明では、真贋判定部１６ｂは、ＩＣタグリーダ１３で読み込んだ特殊景品の固有ＩＤが事前にセンターサーバ６０から配信された買取場出荷データ１５ａに含まれていることを正規な景品であることの条件としたが、本発明はこれに限定されるものではない。例えば、ＩＣタグリーダ１３で読み込んだ特殊景品の固有ＩＤを含む真贋判定要求をセンターサーバ６０に送信して、センターサーバ６０で受け付けた固有ＩＤの景品の状態が買取場から出荷済みであるか否かで真贋の判定を行って、その応答を問屋ＰＣ１０に返信するようにしてもよい。
【００８７】
次に、図２に示した問屋ＰＣ１０のデータ構成について説明する。図９は、問屋ＰＣ１０のデータ構成について説明するための説明図である。
【００８８】
入荷景品データ１５ｂは、問屋に入荷した特殊景品に係るデータであり、問屋に入荷した日付、入荷時刻、入荷元の買取場の識別名、問屋の識別名、ステータス、特殊景品の景品種類と固有ＩＤを１レコードの保有項目とするデータである。ステータスはコード化されており、問屋に入荷したことをセンターサーバ６０に未送信を示す「０」と、問屋に入荷したことをセンターサーバ６０に送信済であることを示す「１」とがある。
【００８９】
図８の入荷景品データ１５ｂの例は、入荷日付が「２０１３／４／１２」で、入荷時刻が「１２：００」で、入荷元の買取場識別名が「買取場Ａ」で、問屋の識別名が「問屋Ａ」で、ステータスがセンターサーバ６０に未送信であることを示す「０」で、景品種類が「Ａ」で、固有ＩＤが「Ａ１２３４５」であることを示すレコードが含まれていることを示している。
【００９０】
出荷景品データ１５ｃは、問屋から遊技店に出荷するデータであり、出荷日付、出荷時刻、問屋の識別名、出荷先の遊技店の識別名、ステータス、特殊景品の景品種類と固有ＩＤ、問屋から遊技店への販売価格を１レコードの保有項目とするデータである。ステータスはコード化されており、遊技店に出荷したことをセンターサーバ６０に未送信を示す「０」と、遊技店に出荷したことをセンターサーバ６０に送信済であることを示す「１」とがある。図８の出荷景品データ１５ｃの例は、出荷日付が「２０１３／４／１２」で、出荷時刻が「１２：００」で、出荷元の問屋識別名が「問屋Ａ」で、出荷先の遊技店識別名が「遊技店Ａ」で、ステータスがセンターサーバ６０に送信済みで有ることを示す「１」で、景品種類が「Ａ」で、固有ＩＤが「Ａ１２３４５」であることを示すレコードが含まれていることを示している。
【００９１】
次に、図２に示したセンターサーバ６０の内部構成を説明する。図１０は、センターサーバ６０の内部構成を示すブロック図である。図１０に示すように、センターサーバ６０は、入力部６１及び表示部６２と接続される。入力部６１は、キーボードやマウス等であり、表示部６２は、液晶パネルやディスプレイ装置等である。
【００９２】
また、センターサーバ６０は、通信部６３と、記憶部６４と、制御部６５とを有する。通信部６３は、回線網を通して問屋ＰＣ１０及び買取場ＰＣ３０とデータ通信するためのインタフェース部である。
【００９３】
記憶部６４は、ハードディスク装置や不揮発性メモリ等の記憶デバイスであり、特殊景品状況データ６４ａ、特殊景品流通履歴データ６４ｂ、特殊景品売買パラメータ６４ｃ、利益配分基準データ６４ｄ、景品市場価値データ６４ｅ、問屋集計対象データ６４ｆ、買取場集計対象データ６４ｇ、問屋集計データ６４ｈ及び買取場集計データ６４ｉを有する。
【００９４】
特殊景品状況データ６４ａは、問屋、遊技店及び買取場の拠点及びこれらの拠点間を搬送中の全ての特殊景品に関して、特殊景品の種類、固有ＩＤ及び状態などの情報が記憶されたデータである。特殊景品流通履歴データ６４ｂは、特殊景品の流通経路内での移動の全ての履歴を記録したものである。特殊景品売買パラメータ６４ｃは、問屋及び買取場における特殊景品の売買価格や買取場から問屋に支払う月額手数料率などの情報を含むデータである。
【００９５】
利益配分基準データ６４ｄは、特殊景品売買パラメータ６４ｃに含まれる問屋及び買取場における特殊景品の売買価格や買取場から問屋へ支払う月額手数料などの推奨値を算出するための基準値である。景品市場価値データ６４ｅは、特殊景品の種類ごとの、市場価値のデータである。
【００９６】
問屋集計対象データ６４ｆは、特殊景品流通履歴データ６４ｂから、所定の期間内に問屋から遊技店に販売された全ての景品に対応する、問屋からの買取の履歴データと遊技店への販売の履歴データを抽出したデータである。このようにして抽出されたデータを集計することによって、問屋の所定期間における特殊景品の売買差益の実績を算出することができる。また、上記のようにして生成した問屋集計対象データ６４ｆに、所定の期間内に問屋から遊技店に販売される見込みのデータを追加して、この問屋集計対象データ６４ｆを集計することによって、まだ遊技店に販売していない景品の販売を含めた問屋の所定期間における特殊景品の売買差益の想定値を算出することができる。
【００９７】
買取場集計対象データ６４ｇは、特殊景品流通履歴データ６４ｂから所定の期間内に買取場から問屋に売却された全ての景品に対応する、遊技客からの買取の履歴データと問屋への売却の履歴データを抽出したデータである。このようにして抽出されたデータを集計することによって、買取場の所定期間における特殊景品の売買差益の実績を算出することができる。また、上記のようにして生成した買取場集計対象データ６４ｇに、所定の期間内に買取場から問屋に売却される見込みのデータを追加して、この買取場集計対象データ６４ｇを集計することによって、まだ問屋に売却していない景品の売却を含めた買取場の所定期間における特殊景品の売買差益の想定値を算出することができる。
【００９８】
問屋集計データ６４ｈは、問屋集計対象データ６４ｆを基にして、所定期間の問屋ごとに売買差益を集計した結果である。買取場集計データ６４ｉは、買取場集計対象データ６４ｇを基にして、所定期間の買取場ごとに売買差益を集計した結果である。
【００９９】
制御部６５は、センターサーバ６０の全体を制御する制御部であり、特殊景品状況管理部６５ａ、買取場景品状況集計部６５ｂ、問屋景品状況集計部６５ｃ及びパラメータ管理部６５ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【０１００】
特殊景品状況管理部６５ａは、問屋ＰＣ１０及び買取場ＰＣ３０から通知される、特殊景品の状況の変化を通知するデータを受け付けて、受け付けた個々の特殊景品の状況に係る情報を特殊景品状況データ６４ａ及び特殊景品流通履歴データ６４ｂに反映する。問屋ＰＣ１０からは、新規に生産された特殊景品の入荷及び買取場からの特殊景品の入荷に係る情報が通知され、特殊景品状況管理部６５ａは、通知された内容を特殊景品状況データ６４ａ及び特殊景品流通履歴データ６４ｂに反映する。また、問屋ＰＣ１０からは、遊技店への出荷に係る特殊景品の情報が通知され、特殊景品状況管理部６５ａは、通知された内容を特殊景品状況データ６４ａ及び特殊景品流通履歴データ６４ｂに反映する。買取場ＰＣ３０からは、遊技客が持ち込んで買取場が買い取った特殊景品の状況に係る情報が通知され、特殊景品状況管理部６５ａは、買取場が買い取った特殊景品の状況に係る情報を特殊景品状況データ６４ａ及び特殊景品流通履歴データ６４ｂに反映する。また、買取場ＰＣ３０からは、問屋への出荷に係る特殊景品の情報が通知され、特殊景品状況管理部６５ａは、通知された内容を特殊景品状況データ６４ａ及び特殊景品流通履歴データ６４ｂに反映する。
【０１０１】
また、特殊景品状況管理部６５ａは、問屋ＰＣ１０若しくは買取場ＰＣ３０との通信ができない状態になって、復旧して通信が行える状態に戻った場合には、復旧直後に送られてきたデータに関して、通信が正常に行えている時の過去のデータと比較して、取扱い量が所定の閾値以上の差異があった場合には、アラートを発報するようにしてもよい。
【０１０２】
また、特殊景品状況管理部６５ａは、所定のタイミングで買取場ＰＣ３０に、問屋から出荷済で買取場でまだ買い取られていない特殊景品の一覧データを配信する。また、特殊景品状況管理部６５ａは、所定のタイミングで問屋ＰＣ１０に、買取場から出荷済で問屋にまだ入荷されていない特殊景品の一覧データを配信する。
【０１０３】
買取場景品状況集計部６５ｂは、特殊景品流通履歴データ６４ｂから、買取場集計対象データ６４ｇを抽出して、買取場集計対象データ６４ｇに基づいて買取場ごとの所定期間の売買差益の集計を行う。また、買取場景品状況集計部６５ｂは、買取場ごとに算出した売買差益に基づいて問屋に支払う手数料の算出を行う。また、買取場景品状況集計部６５ｂは、買取場ごとに売買差益から問屋へ支払う手数料を減算した買取場ごとの所定期間の粗利を算出する。
【０１０４】
問屋景品状況集計部６５ｃは、特殊景品流通履歴データ６４ｂから、問屋集計対象データ６４ｆを抽出して、問屋集計対象データ６４ｆに基づいて問屋ごとの所定期間の売買差益の集計を行う。また、問屋景品状況集計部６５ｃは、売買差益に買取場景品状況集計部６５ｂの算出した買取場から問屋への手数料を加算して問屋ごとの所定期間の粗利を算出する。
【０１０５】
パラメータ管理部６５ｄは、買取場景品状況集計部６５ｂ及び問屋景品状況集計部６５ｃの所定期間の集計結果と利益配分基準データ６４ｄとに基づいて、特殊景品売買パラメータ６４ｃの推奨値の算出を行い、算出した推奨値を画面に表示して、当該画面での入力を受け付けて特殊景品売買パラメータ６４ｃの更新を行う。また、パラメータ管理部６５ｄは、特殊景品売買パラメータ６４ｃの更新を行った場合には、更新後の特殊景品売買パラメータ６４ｃを問屋ＰＣ１０及び買取場ＰＣ３０に配信する。
【０１０６】
次に、図２に示したセンターサーバ６０のデータ構成について説明する。図１１及び図１２は、センターサーバ６０のデータ構成について説明するための説明図である。まず、図１１に示す特殊景品状況データ６４ａ、特殊景品流通履歴データ６４ｂ、利益配分基準データ６４ｄ及び景品市場価値データ６４ｅのデータ構成について説明する。
【０１０７】
特殊景品状況データ６４ａは、流通している特殊景品ごとに景品種類、景品単価、特殊景品の固有ＩＤ、ステータス、問屋情報、遊技店情報及び買取場情報を１レコードの保有項目とするデータである。ステータスは、問屋在庫であることを示す「０」、問屋から出荷済であることを示す「１」、遊技店在庫であることを示す「２」、遊技客に景品として払出済であることを示す「３」、買取場在庫であることを示す「４」、買取場から出荷済であることを示す「５」がある。また、問屋情報、遊技店情報及び、買取場情報にはそれぞれ問屋、遊技店若しくは買取場の識別名と、問屋、遊技店若しくは買取場の入荷日、出荷日、入荷価格及び出荷価格とを有する。
【０１０８】
特殊景品状況データ６４ａは、問屋が買取場から買い付けて問屋に入荷された時には、問屋情報に問屋識別名と入荷日が書き込まれ、問屋情報の出荷日、遊技店情報及び買取場情報はクリアされる。
【０１０９】
本実施例では、遊技店に設置して本システムと接続される装置はないことから、遊技店への入荷や遊技店から遊技客への特殊景品の払出に係る情報は収集できないが、遊技店に、特殊景品に係る情報をセンターサーバ６０に通知することができる装置が設置されることを想定して、データ構成上は遊技店情報を含めた構成としている。
【０１１０】
図１１の特殊景品状況データ６４ａの例は、景品種類が「Ａ」で、景品単価が「５，０００」円で、固有ＩＤが「Ａ１２３４５」で、ステータスが「買取場在庫」で有ることを示す「４」で、「問屋Ａ」に「２０１３／４／５」に入荷価格「４，９００」円で入荷して、「２０１３／４／１０」に「遊技店Ａ」に出荷価格「５，０００」円で出荷して、「買取場Ａ」で「２０１３／４／１１」に入荷価格「４，８５０」円で買い取られたという情報を有するレコードが含まれていることを示している。
【０１１１】
特殊景品流通履歴データ６４ｂは、特殊景品の固有ＩＤ、流通経路内の移動の発生した日付と時刻、履歴区分、移動元の情報、移動先の情報及び取引価格をレコードの保有項目とするデータである。履歴区分とは「１」が入荷の履歴で、「２」が出荷の履歴であることを示す。また、移動元及び移動先のデータは、経路区分と経路の識別名を有し、経路区分は「１」が問屋、「２」が遊技店、「３」が買取場であることを示す。
【０１１２】
図１１の特殊景品流通履歴データ６４ｂの例は、固有ＩＤが「Ａ１２３４５」の特殊景品が、日付が「２０１３／４／１１」の時刻「１８：３０」に、履歴区分が「２」であり出荷の履歴であり、識別名が「遊技店Ａ」の経路区分「２」の示す遊技店から、識別名が「買取場Ａ」の経路区分「３」の示す買取場へ、取引価格が「４，８５０」円で取引された特殊景品の流通の履歴データが含まれていることを示している。
【０１１３】
利益配分基準データ６４ｄは、問屋と買取場全体の総粗利目標基準値と、問屋全体の合計の粗利の問屋と買取場全体の合計の粗利に対する割合の目標値である問屋配分率基準値と、問屋が買取場から支払われる月間手数料の合計の問屋全体の粗利の合計に対する目標比率である問屋月間手数料比率基準値とを有する。図１１の利益配分基準データ６４ｄの例は、総粗利目標基準値が「７５百万円」で、問屋配分率基準値「７５％」で、問屋月間手数料比率基準値が「２０％」であることを示している。利益配分基準データ６４ｄの保有する項目は一例であり、本発明はこれに限定するものではない。例えば、問屋及び買取場ごとの規模に応じた粗利目標基準値を設けるものとしてもよい。
【０１１４】
景品市場価値データ６４ｅは、景品の種類と該景品種類の市場価値をレコードの保有項目とするデータである。図１１の景品市場価値データ６４ｅの例は、景品Ａの市場価値が「５，０００」円で、景品Ｂの市場価値が「１，０００」円であることを示している。
【０１１５】
次に、図１２に示す問屋集計データ６４ｈと買取場集計データ６４ｉのデータ構成について説明する。問屋集計データ６４ｈは、問屋の識別名に関連付けて、当該問屋の所定期間の売上情報、仕入情報、買取場からの合計の手数料及び粗利をレコードの保有項目とするデータである。売上情報には、景品の種類ごとに売り上げた景品の個数と売上合計金額が含まれる。仕入情報には、景品の種類ごとに仕入れた景品の個数と仕入合計金額が含まれる。
【０１１６】
図１２の問屋集計データ６４ｈの例は、問屋識別名が「問屋Ａ」である問屋の所定期間の集計結果であり、景品Ａ「６６，０００」個を「３３０，０００，０００」円で売り上げ、景品Ｂ「１４５，０００」個を「１４５，０００，０００」円で売り上げ、景品Ａ「６６，０００」個を「３２３，４００，０００」円で仕入れ、景品Ｂ「１４５，０００」個を「１４２，１００，０００」円で仕入れ、買取場からの手数料として「１，４５０，０００」円を受け取り、差し引きの粗利が「１０，９５０，０００」であることを示すレコードが含まれていることを表している。
【０１１７】
買取場集計データ６４ｉは、買取場の識別名に関連付けて、当該買取場の所定期間の売上情報、買取情報、問屋へ支払う手数料、支払先の問屋識別名及び粗利をレコードの保有項目とするデータである。売上情報には、景品の種類ごとに売り上げた景品の個数と売上合計金額が含まれる。買取情報には、景品の種類ごとに買い取った景品の個数と買取合計金額が含まれる。
【０１１８】
図１２の買取場集計データ６４ｉの例は、買取場識別名が「買取場Ａ」である買取場の所定期間の集計結果であり、景品Ａ「６，５００」個を「３１，８５０，０００」円で売り上げ、景品Ｂ「１７，５００」個を「１７，１５０，０００」円で売り上げ、景品Ａ「６，５００」個を「３１，５２５，０００」円で買い取り、景品Ｂ「１７，５００」個を「１６，９７５，０００」円で買い取り、問屋識別名が「問屋Ａ」の問屋に手数料として「１５０，０００」円を支払い、差し引きの粗利が「３５０，０００」であることを示すレコードが含まれていることを表している。
【０１１９】
次に、図２に示したセンターサーバ６０における買取場の景品の状況照会時の画面の表示内容及び操作方法を説明する。図１３は、センターサーバ６０における買取場の景品の状況照会時の画面の表示内容及び操作方法を説明するための説明図である。
【０１２０】
図１３（ａ）は、買取場の景品の状況照会の内容を指定するための入力画面である。この入力画面では、買取場名、照会対象の景品の種類、照会対象とする景品の状態、照会対象とする景品の買取日の範囲及び照会対象とする景品の売却日の範囲を指定することが可能である。景品の状態では、買取済みで未売却の景品を照会対象とするか、買取済みで売却済の景品を照会対象とするか、買取済みの景品すべてを照会対象とするかのいずれかの指定が可能である。
【０１２１】
図１３（ａ）に示す買取場の景品の状況照会の内容を指定するための入力画面の例は、買取場名が「買取場Ａ」で、照会対象の景品種類は「大景品」「小景品」の両方で、照会対象の景品の状態は「買取済みの全景品」で、照会対象の景品の買取日が「２０１３／４／１」から「２０１３／４／３０」までとすることを示している。
【０１２２】
図１３（ｂ）は、図１３（ａ）の指定に従って出力された買取場の景品の状況照会の画面の例である。図１３（ｂ）の上半分は、景品の種類と買取単価／売却単価（又は、売却予定単価）ごとに、買取個数、売却単価若しくは売却予定単価のいずれか１つと、当該買取単価と売却単価若しくは売却予定単価との差分に買取個数を乗算して得られた売買差益を表したものである。図１３（ｂ）の下半分は、図１３（ｂ）の上半分のサマリであり、景品の種類ごとの買取合計金額と売却合計金額と売買差益と、合計の買取金額と売却金額と売買差益とを表示する。また、図１３（ｂ）の最下行は、売買差益の合計に応じた問屋に支払う月間手数料と、売買差益の合計から問屋に支払う月間手数料を差し引いて得られる想定粗利が表示される。また、図１３（ｂ）の右下部には「終了」ボタンが配置され、「終了」ボタンが押下されると、本照会処理を終了する。
【０１２３】
図１３（ｂ）の画面表示例は、景品種類が「Ａ」の景品に関しては、３種類の買取単価と売却単価または売却予定単価の組合せがあり、そのうちの１つは買取単価が「４，８５０」円で、売却単価が「４，９００」円で、「４，０００」個を売買し、その売買差益は「２００，０００」円で、他の１つは買取単価が「４，９４０」円で、売却予定単価が「４，９００」円で、「２５０」個の売買予定で、その売買差益は「−１０，０００」円で、残りの１つは買取単価が「４，９４０」円で、売却単価が「４，９９０」円で、「２，２００」個を売買し、その売買差益は「１１０，０００」円であることを示している。また、全ての景品Ａの買取合計金額が「３１，５０３，０００」円で、売却合計金額が「３１，８０３，０００」円で、景品Ａの売買差益が「３００，０００」円であることを示している。また、全ての景品Ｂの買取合計金額が「１８，０００，０００」円で、売却合計金額が「１８，１８０，０００」円で、景品Ｂの売買差益が「１８０，０００」円であることを示している。また、全景品の合計では、買取合計金額が「４９，５０３，０００」円で、売却合計金額が「４９，９８３，０００」円で、全景品の売買差益が「４８０，０００」円であることを示している。また、この全景品の売買差益の「４８０，０００」円に基づいて算出された問屋へ支払う月間手数料が「１２０，０００」円で、全景品の売買差益から月間手数料を差し引いた想定粗利が「３６０，０００」であることを示している。また、図１３（ｂ）は、売買差益がマイナスとなる行については、マイナスとならない行とは異なる表示形態で表示することとすることによって、収支を圧迫している要素を特定して表示している。
【０１２４】
図１３（ｃ）は、図１３（ｂ）の上半分に表示されている景品の種類と買取単価／売却単価（または売却予定単価）ごとの集計結果の中の、景品Ａの２行目をマウスでクリックすることによって表示される画面の例である。景品Ａの２行目をマウスでクリックするということは、景品Ａの２行目が意味する買取単価「４，９４０」円で買い取って売却予定単価「４，９００」円で売却予定の景品Ａの一覧を表示することの指示であり、図１３（ｃ）は、買取単価「４，９４０」円で買い取って売却予定単価「４，９００」円で売却予定の景品Ａの一覧である。また、図１３（ｃ）の最下部には「戻る」ボタンが配置され、「戻る」ボタンの押下によって、図１３（ｂ）の画面に戻る。また、図１３（ｃ）の景品の一覧においては、売買差益がマイナスとなる場合には、そうでない場合と比較して異なる表示形態で表示する。
【０１２５】
図１３（ｃ）は、指定された景品種類、買取価格及び売却価格（又は、売却予定単価）の景品の一覧であり、景品ＩＤ、景品種類、買取日付、買取価格、売却日付、売却価格、売却予定価格及び当該景品売却による売買差益を表示す。また、最下行には、指定された景品種類、買取単価及び売却価格（又は、売却予定単価）の景品の合計の買取金額と合計の売却金額（又は、売却予定金額）と合計の売買差益とを表示する。図１３（ｃ）は、景品ＩＤが「Ａ１２３００」、「Ａ１２３０１」及び「Ａ１２３０２」の景品は、いずれも景品種類が「Ａ」で、「２０１３／４／１１」に「４，９５０」で買い取り、「４，９００」円で売却の予定で、売買差益は「−５０」円であることを示している。また、一覧に表示される全ての景品の買取金額は「１，２３５，０００」円で、売却金額は「１，２２５，０００」円で、売買差益は「−１０，０００」円で有ることを示している。
【０１２６】
次に、図２に示したセンターサーバ６０における特殊景品売買パラメータ６４ｃ設定時の画面の表示内容及び操作方法を説明する。図１４は、センターサーバ６０における特殊景品売買パラメータ６４ｃ設定時の画面の表示内容及び操作方法を説明するための説明図である。
【０１２７】
図１４（ａ）は、所定期間の問屋及び買取場の売買差益、手数料及び粗利の実績集計値（領域Ａ）と、現状の特殊景品売買パラメータ６４ｃの設定値（領域Ｃ）と、領域Ａに示す実績集計値に基づいて算出した特殊景品売買パラメータ６４ｃの推奨値（領域Ｄ）と、領域Ｄの推奨値を参考にした特殊景品売買パラメータ６４ｃの見直し後の設定値（領域Ｅ）と、領域Ｅの見直し後の設定値に従って実績を再計算した場合の売買差益、手数料及び粗利の想定値（領域Ｂ）とを有する。
【０１２８】
図１４（ａ）の領域Ａは、問屋・買取場の粗利合計、問屋の合計粗利、問屋の売買差益、問屋の買取場から徴収した手数料、買取場の合計粗利、買取場の売買差益、買取場の問屋に支払った手数料の所定期間の実績集計値を表示する。また、問屋合計粗利の問屋・買取場の粗利合計に対する割合、問屋売買差益の問屋合計粗利に対する割合、問屋の買取場から徴収した手数料の問屋合計粗利に対する割合、及び買取場の差引粗利の問屋・買取場の粗利合計に対する割合を表示する。
【０１２９】
図１４（ａ）の領域Ａに示す例では、問屋・買取場の粗利合計が「６４，４８０，０００」円で、問屋の合計粗利が「４９，４４４，０００」円で、問屋の売買差益が「４３，０００，０００」円で、問屋の買取場から徴収した手数料が「６，４４４，０００」円で、買取場の合計粗利が「１５，０３６，０００」円で、買取場の売買差益が「２１，４８０，０００」円で、買取場の問屋に支払った手数料が「６，４４４，０００」円であることを示している。また、問屋の合計粗利の問屋・買取場の粗利合計に対する割合は「７７％」で、問屋の売買差益の問屋の合計粗利に対する割合は「８７％」で、問屋の買取場から徴収した手数料の問屋合計粗利に対する割合は「１３％」で、買取場の合計粗利の問屋・買取場の粗利合計に対する割合は「２３％」であることを示している。
【０１３０】
図１４（ａ）の領域Ｃは、特殊景品売買パラメータ６４ｃの現状設定値が表示されており、遊技客から徴収する手数料率、買取場が問屋に支払う月間問屋手数料率、問屋における景品種類ごとの販売価格、買取場における遊技客からの景品種類ごとの買取価格、買取場における問屋への景品種類ごとの売却価格を有する。図１４（ａ）の領域Ｃの例は、遊技客から徴収する手数料率が「３．０％」で、買取場が問屋に支払う月間問屋手数料率が「３０％」で、問屋における販売価格が景品Ａが「５，０００」円で、景品Ｂが「１，０００」で、買取場における遊技客からの買取価格が景品Ａが「４，８５０」円で、景品Ｂが「９７０」円で、買取場における問屋への売却価格が景品Ａが「４，９００」円で、景品Ｂが「９８０」円であることを示している。
【０１３１】
図１４（ａ）の領域Ｄは、特殊景品売買パラメータ６４ｃの推奨値である。図１４（ａ）の領域Ｄの例は、遊技客から徴収する手数料率の推奨値が「３．２％」で、買取場が問屋に支払う月間問屋手数料率の推奨値が「３５％」で、問屋における販売価格の推奨値が景品Ａが「５，１００」円で、景品Ｂが「１，０２０」円で、買取場における遊技客からの買取価格の推奨値が景品Ａが「４，９３０」円で、景品Ｂが「９８０」円で、買取場における問屋への売却価格の推奨値が景品Ａが「４，９９０」円で、景品Ｂが「１，０００」円であることを示している。
【０１３２】
図１４（ａ）の領域Ｅは、特殊景品売買パラメータ６４ｃの見直し後の設定値を操作者により指定するための入力フィールドであり、入力された値を表示する領域でもある。また、図１４（ａ）の領域Ｄと領域Ｅの間の「設定」ボタンは、領域Ｄの推奨値を見直し後の設定値として指定する時に使用するためのボタンである。図１４の領域Ｅの例は、遊技客から徴収する手数料率の見直し後の設定値が「３．２％」で、買取場が問屋に支払う月間問屋手数料率の見直し後の設定値が「３７％」で、問屋における販売価格の見直し後の設定値が景品Ａが「５，１００」円で、景品Ｂが「１，０２０」で、買取場における遊技客からの買取価格の見直し後の設定値が景品Ａが「４，９３０」円で、景品Ｂが「９８０」円で、買取場における問屋への売却価格の見直し後の設定値が景品Ａが「４，９９０」円で、景品Ｂが「１，０００」円であることを示している。なお、図１４（ａ）の画面を最初に表示した時には、領域Ｅには推奨値がデフォルトとして表示される。また、領域Ｅでは、推奨値と異なる値を設定しようとした場合には、その項目の表示形態を、推奨値と同じ値を設定しようとした項目の表示形態とは異なる表示形態で表示する。
【０１３３】
図１４（ａ）の領域Ｂは、特殊景品売買パラメータ６４ｃを領域Ｅに示す見直し後の設定値に変更した場合の、領域Ａに示した集計がどのように変わるかの見込みを算出した結果である。図１４（ａ）の領域Ｅに示す例では、問屋・買取場の粗利合計が「７５，５２９，０００」円で、問屋の合計粗利が「５６，３５７，０００」円で、問屋の売買差益が「４５，０９８，０００」円で、問屋の買取場から徴収する手数料が「１１，２５９，０００」円で、買取場の合計粗利が「１９，１７２，０００」円で、買取場の売買差益が「３０，４３１，０００」円で、買取場の問屋に支払う手数料が「１１，２５９，０００」円となることを示している。また、問屋の合計粗利の問屋・買取場の粗利合計に対する割合は「７５％」で、問屋の売買差益の問屋の合計粗利に対する割合は「８０％」で、問屋の買取場から徴収した手数料の問屋合計粗利に対する割合は「２０％」で、買取場の合計粗利の問屋・買取場の粗利合計に対する割合は、「２５％」であることを示している。
【０１３４】
また、図１４（ａ）の最下行には、「キャンセル」ボタンと「保存」ボタンが配置される。「キャンセル」ボタンが押下されると、特殊景品売買パラメータ６４ｃの見直しは行わずに処理終了する。「保存」ボタンが押下されると、「保存」ボタンを押下時点で領域Ｅに表示されている内容で特殊景品売買パラメータ６４ｃの更新を行う。
【０１３５】
また、図１４（ａ）の上半分の表の「問屋」の文字をマウスでクリックすると、図１４（ｂ）の問屋ごとの実績集計の詳細結果が表示される。また、図１４（ａ）の上半分の表の「買取場」の文字をマウスでクリックすると、図１４（ｃ）の買取場ごとの実績集計の詳細結果が表示される。
【０１３６】
図１４（ｂ）は、問屋ごとの実績集計の詳細結果であり、問屋ごとに問屋の識別名、売上金額、仕入金額、売買差益、買取場から徴収した手数料及び合計の粗利が表示される。図１４（ｂ）の表示例は、識別名が「問屋Ａ」の問屋は、売上金額は「４７５，０００，０００」円で、仕入金額が「４６５，５００，０００」円で、売買差益が「９，５００，０００」円で、買取場から徴収した手数料が「１，４５０，０００」で、粗利が「１０，９５０，０００」円で、識別名が「問屋Ｂ」の問屋は、売上金額は「３４６，８００，０００」円で、仕入金額が「３４０，０００，０００」円で、売買差益が「６，８００，０００」円で、買取場から徴収した手数料が「１，０１０，０００」で、粗利が「７，８１０，０００」円であることを示している。
【０１３７】
図１４（ｃ）は、買取場ごとの実績集計の詳細結果であり、買取場ごとに買取場の識別名、売上金額、買取金額、売買差益、問屋に支払う手数料及び手数料差引後の粗利が表示される。図１４（ｃ）の表示例は、識別名が「買取場Ａ」の買取場は、売上金額が「４９，０００，０００」円で、買取金額が「４８，５００，０００」円で、売買差益が「５００，０００」円で、問屋に支払う手数料が「１５０，０００」円で、粗利が「３５０，０００」円で、識別名が「買取場Ｂ」の買取場は、売上金額が「４２，１４０，０００」円で、買取金額が「４１，７１０，０００」円で、売買差益が「４３０，０００」円で、問屋に支払う手数料が「１２９，０００」円で、粗利が「３０１，０００」円であることを示している。
【０１３８】
次に、図２に示したセンターサーバ６０の特殊景品売買パラメータ６４ｃ設定処理の処理手順を説明する。図１５は、センターサーバ６０の特殊景品売買パラメータ６４ｃ設定処理の処理手順を示すフローチャートである。
【０１３９】
買取場景品状況集計部６５ｂは、所定期間の買取場の集計を行うのに必要なデータを特殊景品流通履歴データ６４ｂから抽出して、買取場集計対象データ６４ｇとして記憶する（ステップＳ３０１）。また、買取場景品状況集計部６５ｂは、ステップＳ３０１で生成した買取場集計対象データ６４ｇを用いて、買取場ごとの売上金額、買取金額及び売買差益を集計して、買取場集計データ６４ｉとして記憶する（ステップＳ３０２）。
【０１４０】
次に、問屋景品状況集計部６５ｃは、所定期間の問屋の集計を行うのに必要なデータを特殊景品流通履歴データ６４ｂから抽出して、問屋集計対象データ６４ｆとして記憶する（ステップＳ３０３）。また、問屋景品状況集計部６５ｃは、ステップＳ３０３で生成した問屋集計対象データ６４ｆを用いて、問屋ごとの売上金額、仕入金額及び売買差益を集計して、問屋集計データ６４ｈとして記憶する（ステップＳ３０４）。
【０１４１】
次に、買取場景品状況集計部６５ｂは、ステップＳ３０２で集計した買取場ごとの売買差益に基づいて問屋に支払う月額手数料を買取場ごとに算出して買取場集計データ６４ｉの手数料、手数料納付問屋の識別名及び粗利を更新し、問屋景品状況集計部６５ｃは、更新された買取場集計データ６４ｉを集計して、問屋ごとの問屋集計データ６４ｈの手数料及び粗利の更新を行う（ステップＳ３０５）。
【０１４２】
パラメータ管理部６５ｄは、ステップＳ３０２、ステップ３０４及びステップ３０５で集計した結果に基づいて算出される問屋及び買取場の合計の粗利と、利益配分基準データ６４ｄの総粗利目標基準値とを比較して、総粗利目標基準値を達成するために必要な特殊景品売買パラメータ６４ｃの遊技客から徴収する手数料率を算出する（ステップＳ３０６）。また、パラメータ管理部６５ｄは、ステップＳ３０６で算出された手数料率と、景品市場価値データ６４ｅと、利益配分基準データ６４ｄの問屋配分基準値及び問屋月間手数料比率基準値とから、特殊景品売買パラメータ６４ｃの遊技客から徴収する手数料率以外の推奨値を算出する（ステップＳ３０７）。
【０１４３】
次に、パラメータ管理部６５ｄは、ステップＳ３０２、ステップ３０４及びステップ３０５の集計結果と、ステップ３０６及びステップ３０７で算出した特殊景品売買パラメータ６４ｃの推奨値から、図１４（ａ）に示したような所定期間の問屋及び買取場の集計結果と、特殊景品売買パラメータ６４ｃの現状値と推奨値と見直し後の設定値と、見直し後の特殊景品売買パラメータ６４ｃ設定値に応じて再計算した問屋及び買取場の集計結果とを画面に表示する（ステップＳ３０８）。
【０１４４】
ステップＳ３０８で表示した画面で「キャンセル」ボタンを受け付けたならば（ステップＳ３０９；Ｙｅｓ）、特殊景品売買パラメータ６４ｃの見直しは行わずに処理を終了する。また、ステップＳ３０８で表示した画面で、特殊景品売買パラメータ６４ｃの見直し後の設定値の変更が行われたならば（ステップＳ３０９；Ｎｏ、ステップＳ３１０；Ｎｏ）、変更後の特殊景品売買パラメータ６４ｃの変更された設定値に応じて問屋及び買取場の集計結果を再計算して、計算結果によって画面の表示内容を更新して（ステップＳ３１１）、ステップＳ３０９に戻る。
【０１４５】
また、ステップＳ３０８で表示した画面で、「保存」ボタンが押下されたならば（ステップＳ３１０；Ｙｅｓ）、「保存」ボタン押下時に画面に表示されている特殊景品売買パラメータ６４ｃの見直し後の設定値に従って特殊景品売買パラメータ６４ｃの更新を行って、更新結果を問屋ＰＣ１０及び買取場ＰＣ３０に送信して（ステップＳ３１２）、処理を終了する。
【０１４６】
上述してきたように、本実施例では、特殊景品の固有ＩＤに、売買価格と問屋又は買取場の識別情報とを関連付けたデータを特殊景品の売買情報として記録するようにし、特殊景品の売買情報に基づいて、所定期間の特殊景品の流通量と、特殊景品ごとの売却価格と買取価格の差である売買差益とを、問屋ごと及び買取場ごとに集計を行うとともに、買取場ごとに集計された売買差益に応じて買取場から問屋に支払う手数料の算出を行うようにし、特殊景品の流通量及び特殊景品の市場価格から、問屋及び買取場の適切な利益を考慮した問屋及び買取場における特殊景品の売買価格や買取場から問屋への手数料率の推奨値を生成し、推奨値を利用することによって特殊景品の売買価格や問屋への手数料率の見直しを簡便に行えるよう構成したので、遊技店で遊技媒体と交換可能で、買取場で買い取ってもらうことが可能な価格の変動する景品の流通において、流通経路上の問屋及び買取場の利益を適切かつ効率的に管理することができる。
【０１４７】
なお、上述の実施例では、買取場から問屋へ支払う手数料額を所定期間における買取場の特殊景品の売買差益の所定の比率とすることによって、買取場の売買差益の額に応じて手数料額の調整を可能として、特殊景品の価格変動による買取場及び問屋の適正な利益の確保をする例を説明してきたが、本発明はこれに限定されるものではない。例えば、問屋と買取場の特殊景品の売買差益を管理して、所定期間の問屋と買取場の売買差益が所定の比率でない場合には、所定の比率になるように問屋と買取場の間で売買差益を再配分するようにしてもよい。
【０１４８】
また、上述の実施例の景品流通管理システムでは、特殊景品の遊技店への入荷や特殊景品の景品交換による遊技客への払い出しについては管理していなかったが、本発明はこれに限定されるものではない。例えば、遊技店における特殊景品の問屋からの入荷や遊技客への景品交換による払い出しを管理して、その情報をセンターサーバ６０に通知することによって問屋から出荷後、買取場で買い取られる迄の間の特殊景品の状況や、遊技店における特殊景品の売買差益を詳細に管理できるようにしてもよい。
【０１４９】
また、上述の実施例では特殊景品の識別を、ＩＣタグを特殊景品に付けて、該ＩＣタグに特殊景品全体でユニークな固有ＩＤを記憶させ、該固有ＩＤをＩＣタグリーダで読み取ることによって特殊景品の識別を行ったが、本発明はこれに限定されるものではなく、全ての特殊景品に固有のバーコードやフォログラムを付けて、このバーコードやフォノグラムを読み込むことによって特殊景品を識別してもよい。
【０１５０】
また、上述の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１５１】
以上のように、本発明に係る景品流通管理システム及び景品流通管理方法は、遊技店で遊技媒体と交換可能で、買取場で買い取ってもらうことが可能な、価格の変動する景品の流通において、流通経路上の問屋及び買取場の利益を適切かつ効率的に管理することに適している。
【符号の説明】
【０１５２】
１０  問屋ＰＣ
１１、３１、６１  入力部
１２、３２、６２  表示部
１３、３３  ＩＣタグリーダ
１４、３４、６３  通信部
１５、３５、６４  記憶部
１５ａ  買取場出荷データ
１５ｂ  入荷景品データ
１５ｃ、３５ｄ  出荷景品データ
１５ｄ、３５ｅ、６４ｃ  特殊景品売買パラメータ
１６、３６、６５  制御部
１６ａ  買取場出荷データ取得部
１６ｂ、３６ｂ  真贋判定部
１６ｃ  入荷処理部
１６ｄ、３６ｅ  出荷処理部
３０  買取場ＰＣ
３５ａ  問屋出荷データ
３５ｂ  買取処理中景品データ
３５ｃ  買取済景品データ
３６ａ  配布データ取得部
３６ｃ  買取処理部
３６ｄ  買取データ送信部
４０  入出金ターミナル
６０  センターサーバ
６４ａ  特殊景品状況データ
６４ｂ  特殊景品流通履歴データ
６４ｄ  利益配分基準データ
６４ｅ  景品市場価値データ
６４ｆ  問屋集計対象データ
６４ｇ  買取場集計対象データ
６４ｈ  問屋集計データ
６４ｉ  買取場集計データ
６５ａ  特殊景品状況管理部
６５ｂ  買取場景品状況集計部
６５ｃ  問屋景品状況集計部
６５ｄ  パラメータ管理部
【図１】
2015173934.tif 000003
【図２】
2015173934.tif 000004
【図３】
2015173934.tif 000005
【図４】
2015173934.tif 000006
【図５】
2015173934.tif 000007
【図６】
2015173934.tif 000008
【図７】
2015173934.tif 000009
【図８】
2015173934.tif 000010
【図９】
2015173934.tif 000011
【図１０】
2015173934.tif 000012
【図１１】
2015173934.tif 000013
【図１２】
2015173934.tif 000014
【図１３】
2015173934.tif 000015
【図１４】
2015173934.tif 000016
【図１５】
2015173934.tif 000017